(57)【要約】【課題】アンテナ利得を低下させずにデュアルチャンネル受信を行うことができるデュアルチャンネル放送受信機を提供する。【解決手段】アンテナ１０１、アンテナ１０１で受信した信号を増幅する低雑音増幅器３、及び、低雑音増幅器３からの信号を２分配して出力する電力分配器５を有する第１の受信部と、アンテナ１０２、アンテナ１０２で受信した信号を増幅する低雑音増幅器４、及び、低雑音増幅器４からの信号を２分配して出力する電力分配器６を有する第２の受信部と、ＲＦ入力端子９Ａ及び９Ｂを有するデュアルチューナ９と、デュアルチャンネル受信時に、前記第１の受信部から出力される信号と前記第２の受信部から出力される信号のいずれか一方を選択してＲＦ入力端子９Ａ及び９Ｂそれぞれに供給する選択部（ＲＦスイッチ７及び８）とを備え、不使用のアンテナに給電しないデュアルチャンネル放送受信機。【選択図】図２
2009130812.tif 000002
【特許請求の範囲】
【請求項１】
第１のアンテナ、前記第１のアンテナで受信した信号を増幅する第１の低雑音増幅器、及び、前記第１の低雑音増幅器からの信号を２分配して出力する第１の電力分配器を有する第１の受信部と、
第２のアンテナ、前記第２のアンテナで受信した信号を増幅する第２の低雑音増幅器、及び、前記第２の低雑音増幅器からの信号を２分配して出力する第２の電力分配器を有する第２の受信部と、
第１のＲＦ入力端子及び第２のＲＦ入力端子を有するデュアルチューナと、
デュアルチャンネル受信時に、前記第１の受信部から出力される信号と前記第２の受信部から出力される信号のいずれか一方を選択して前記第１のＲＦ入力端子及び前記第２のＲＦ入力端子に供給する選択部とを備え、
デュアルチャンネル受信時に、前記選択部が前記第１の受信部から出力される信号を選択する場合は前記第２のアンテナに給電をせず、前記選択部が前記第２の受信部から出力される信号を選択する場合は前記第１のアンテナに給電をしないことを特徴とするデュアルチャンネル放送受信機。
【請求項２】
前記第１の電力分配器及び前記第２の電力分配器がそれぞれウィルキンソン型である請求項１に記載のデュアルチャンネル放送受信機。
【請求項３】
前記第１の低雑音増幅器及び前記第２の低雑音増幅器への電源供給を個別にオン／オフ制御する電源供給制御回路を備える請求項１又は請求項２に記載のデュアルチャンネル放送受信機。
【請求項４】
前記デュアルチューナが、デュアルチャンネル受信とシングルチャンネル受信との切り替えが可能なチューナである請求項１〜３のいずれか１項に記載のデュアルチャンネル放送受信機。
【請求項５】
前記選択部が、前記第１の受信部から出力される信号と前記第２の受信部から出力される信号のいずれかを選択して前記第１のＲＦ入力端子に供給する第１の半導体スイッチと、前記第１の受信部から出力される信号と前記第２の受信部から出力される信号のいずれかを選択して前記第２のＲＦ入力端子に供給する第２の半導体スイッチとを有する請求項１〜４のいずれか１項に記載のデュアルチャンネル放送受信機。
【請求項６】
前記選択部が、前記第１の受信部から出力される信号と前記第２の受信部から出力される信号のいずれかを選択して前記第１のＲＦ入力端子に供給する第１のＲＦ用ＭＥＭＳ（Micro Electro Mechanical Systems）スイッチと、前記第１の受信部から出力される信号と前記第２の受信部から出力される信号のいずれかを選択して前記第２のＲＦ入力端子に供給する第２のＲＦ用ＭＥＭＳとを有する請求項１〜４のいずれか１項に記載のデュアルチャンネル放送受信機。
【請求項７】
請求項１〜６のいずれか１項に記載のデュアルチャンネル放送受信機を備えることを特徴とする携帯端末。
【発明の詳細な説明】
【技術分野】
【０００１】
本発明は、デュアルチャンネル放送受信機及びそれを備えた携帯端末（例えば、携帯電話機等）に関する。
【背景技術】
【０００２】
ＴＶ付カーナビゲーションシステム等に搭載されたデジタルテレビ受信機として、例えば、特許文献１で提案されているＯＦＤＭ受信装置、すなわち、複数のアンテナと、各アンテナにそれぞれ対応する複数のチューナとを備え、アンテナを選択するアンテナ選択モードでは、最も信号電力が強い受信信号を得られるアンテナを１つ選択し、この選択されたアンテナとそれに対応するチューナとの間に設けられているスイッチをオンにし、それ以外の各アンテナとそれに対応する各チューナとの間に設けられている各スイッチを全てオフにすることによって、アンテナ選択ダイバーシティ受信を行い、サブキャリア毎に選択合成を行うサブキャリア選択合成モードでは、各アンテナとそれに対応する各チューナとの間に設けられている各スイッチを全てオンにし、ＯＦＤＭ（Orthogonal Frequency Division Multiplexing）変調されている受信信号が各チューナにおいてダウンコンバート、Ａ／Ｄ変換、及びＤＦＴ（Discrete Fourier Transform）された後、チューナの後段に設けられるサブキャリア選択部においてサブキャリア単位で各アンテナの受信電力を比較して選択合成をすることによって、サブキャリア選択合成ダイバーシティ受信を行うＯＦＤＭ受信装置を用いることができる。
【０００３】
【特許文献１】特開２００４−２７４６０３号公報
【特許文献２】実開平５−２５８４７号公報
【発明の開示】
【発明が解決しようとする課題】
【０００４】
しかしながら、特許文献１で提案されているＯＦＤＭ受信装置では、シングルチャンネル受信は行えるが、デュアルチャンネル受信は行えない。
【０００５】
例えば、携帯端末に搭載された地上デジタルテレビ受信機において、２ｃｈの放送信号を同時に受信する場合（例えば、２画面表示を行う場合など）、デュアルチャンネル受信を行うことができるデュアルチャンネル放送受信機が必要となる。従来のデュアルチャンネル放送受信機の回路構成では、携帯端末に搭載された独立して給電される二つのアンテナにおいて、それぞれのアンテナ出力をデュアルチューナの各入力端子に独立して接続することになる。この場合、例えば地上デジタル放送などの１００〜８００ＭＨｚ程度の周波数帯においては、二つのアンテナの間隔が受信信号の波長に対して非常に近接しているため、二つのアンテナ間の相関が高く、二つのアンテナ間に相互結合が生じてしまう。したがって、従来のデュアルチャンネル放送受信機の回路構成では、一つのアンテナとそれに対応する一つのチューナを備えたシングルチャンネル放送受信機におけるアンテナの絶対利得Ｇ１と比較して、二つのアンテナの各絶対利得Ｇ２及びＧ３が低下してしまうという課題があった（図４参照）。
【０００６】
本発明は、上記の状況に鑑み、アンテナ利得を低下させずにデュアルチャンネル受信を行うことができるデュアルチャンネル放送受信機及びそれを備えた携帯端末を提供することを目的とする。
【課題を解決するための手段】
【０００７】
上記目的を達成するために本発明に係るデュアルチャンネル放送受信機は、第１のアンテナ、前記第１のアンテナで受信した信号を増幅する第１の低雑音増幅器、及び、前記第１の低雑音増幅器からの信号を２分配して出力する第１の電力分配器を有する第１の受信部と、第２のアンテナ、前記第２のアンテナで受信した信号を増幅する第２の低雑音増幅器、及び、前記第２の低雑音増幅器からの信号を２分配して出力する第２の電力分配器を有する第２の受信部と、第１のＲＦ入力端子及び第２のＲＦ入力端子を有するデュアルチューナと、デュアルチャンネル受信時に、前記第１の受信部から出力される信号と前記第２の受信部から出力される信号のいずれか一方を選択して前記第１のＲＦ入力端子及び前記第２のＲＦ入力端子に供給する選択部とを備え、デュアルチャンネル受信時に、前記選択部が前記第１の受信部から出力される信号を選択する場合は前記第２のアンテナに給電をせず、前記選択部が前記第２の受信部から出力される信号を選択する場合は前記第１のアンテナに給電をしない構成とする。
【０００８】
このような構成によると、デュアルチャンネル受信時に、第１のアンテナと第２のアンテナのいずれか一方のみを用いることになるので、第１のアンテナと第２のアンテナとの間に相互結合が生じない。したがって、アンテナ利得を低下させずにデュアルチャンネル受信を行うことができる。
【０００９】
また、前記第１の電力分配器及び前記第２の電力分配器をそれぞれウィルキンソン型にすることが望ましい。これにより、前記第１の電力分配器及び前記第２の電力分配器をそれぞれ低損失にすることができるので、チューナの入力信号レベルを十分に確保することがより容易になる。
【００１０】
また、上記各構成のデュアルチャンネル放送受信機において、前記第１の低雑音増幅器及び前記第２の低雑音増幅器への電源供給を個別にオン／オフ制御する電源供給制御回路を備えるようにしてもよい。これにより、低消費電力化を図ることができる。
【００１１】
また、上記各構成のデュアルチャンネル放送受信機において、前記デュアルチューナを、デュアルチャンネル受信とシングルチャンネル受信との切り替えが可能なチューナにしてもよい。これにより、シングルチャンネル受信も可能となる。
【００１２】
また、前記選択部の一構成例としては、前記第１の受信部から出力される信号と前記第２の受信部から出力される信号のいずれかを選択して前記第１のＲＦ入力端子に供給する第１の半導体スイッチと、前記第１の受信部から出力される信号と前記第２の受信部から出力される信号のいずれかを選択して前記第２のＲＦ入力端子に供給する第２の半導体スイッチとを有する構成が挙げられる。
【００１３】
また、前記選択部の他の構成例としては、前記第１の受信部から出力される信号と前記第２の受信部から出力される信号のいずれかを選択して前記第１のＲＦ入力端子に供給する第１のＲＦ用ＭＥＭＳ（Micro Electro Mechanical Systems）スイッチと、前記第１の受信部から出力される信号と前記第２の受信部から出力される信号のいずれかを選択して前記第２のＲＦ入力端子に供給する第２のＲＦ用ＭＥＭＳとを有する構成が挙げられる。
【００１４】
上記目的を達成するために本発明に係る携帯端末は、上記いずれかの構成のデュアルチャンネル放送受信機を備えるようにする。
【発明の効果】
【００１５】
本発明によると、デュアルチャンネル受信時に、第１のアンテナと第２のアンテナのいずれか一方のみを用いることになり、第１のアンテナと第２のアンテナとの間に相互結合が生じないので、アンテナ利得を低下させずにデュアルチャンネル受信を行うことができる。
【発明を実施するための最良の形態】
【００１６】
本発明の実施形態について図面を参照して以下に説明する。クラムシェル型携帯電話機に内蔵される本発明に係るデュアルチャンネル放送受信機１００の外観を図１に示す。
【００１７】
本発明に係るデュアルチャンネル放送受信機１００は、ロッドアンテナ１０１と、筐体アンテナ１０２と、ディスプレイ側回路基板１０３に実装されている映像処理回路ブロック（不図示）及び音声処理回路ブロック（不図示）と、前記映像処理回路ブロックの出力に基づく映像を表示するディスプレイ１０４と、前記音声処理回路ブロックの出力に基づく音声を発するスピーカ（不図示）と、フラットケーブル１０５と、通電ヒンジ１０６と、本体回路基板１０８に実装されているデュアルチャンネル放送受信回路ブロック１０７と、キーパッド１０９とによって構成されている。なお、本発明に係るデュアルチャンネル放送受信機１００の動作は、クラムシェル型携帯電話機全体を制御するマイクロコンピュータ（不図示）によって制御されている。
【００１８】
フラットケーブル１０５は、本体側回路基板１０８に実装されているデュアルチャンネル放送受信回路ブロック１０７とディスプレイ側回路基板１０３に実装されている映像処理回路ブロック（不図示）及び音声処理回路ブロック（不図示）との間の信号伝送、及びディスプレイ側回路基板１０３に実装されている映像処理回路ブロック（不図示）及び音声処理回路ブロック（不図示）やディスプレイ１０４への電力供給を行うためのものであって、本体側回路基板１０８上の所定のプリント配線とディスプレイ側回路基板１０３上の所定のプリント配線とを電気的に接続している。
【００１９】
ロッドアンテナ１０１は、金属棒状の放射素子と、本体側回路基板１０８に設けられたグランドパターンとによって構成され、金属棒状の放射素子と本体側回路基板１０８に設けられたグランドパターンとの接続点が給電点となっている。また、ディスプレイ側回路基板１０３に設けられている筐体アンテナ１０２と、本体側回路基板１０８に設けられている筐体アンテナの給電点とは、通電ヒンジ１０６を介して接続されている。
【００２０】
次に、デュアルチャンネル放送受信回路ブロック１０７の詳細について説明する。デュアルチャンネル放送受信回路ブロック１０７の一構成例を図２に示す。なお、図２において、図１と同一の部分には同一の符号を付し、詳細な説明を省略する。
【００２１】
図２に示すデュアルチャンネル放送受信回路ブロック１０７は、ＳＡＷフィルタ１及び２と、低雑音増幅器３及び４と、ウィルキンソン型電力分配器５及び６と、ＲＦスイッチ７及び８と、デュアルチューナ９と、電源供給制御回路１０と、スイッチ制御回路１１とを備えている。
【００２２】
ロッドアンテナ１０１から出力されたＲＦ信号は、ＳＡＷフィルタ１によって妨害波が除去され、低雑音増幅器３によって増幅された後、１入力２出力のウィルキンソン型電力分配器５にて電力分配され、分配されたＲＦ信号の一方が２入力１出力のＲＦスイッチ７の接点７Ａに送出され、分配されたＲＦ信号の他方が２入力１出力のＲＦスイッチ８の接点８Ａに送出される。
【００２３】
一方、筐体アンテナ１０２から出力されたＲＦ信号は、ＳＡＷフィルタ２によって妨害波が除去され、低雑音増幅器４によって増幅された後、１入力２出力のウィルキンソン型電力分配器６にて電力分配され、分配されたＲＦ信号の一方が２入力１出力のＲＦスイッチ７の接点７Ｂに送出され、分配されたＲＦ信号の他方が２入力１出力のＲＦスイッチ８の接点８Ｂに送出される。
【００２４】
そして、ＲＦスイッチ７の極７ＣすなわちＲＦスイッチ７の出力がデュアルチューナ９のＲＦ入力端子９Ａに接続され、ＲＦスイッチ８の極８ＣすなわちＲＦスイッチ８の出力がデュアルチューナ９のＲＦ入力端子９Ｂに接続される。デュアルチューナ９は、ＲＦ入力端子９Ａに入力されるＲＦ信号、ＲＦ入力端子９Ｂに入力されるＲＦ信号それぞれに対して独立して選局及び復調可能なチューナである。
【００２５】
また、電源供給制御回路１０は、低雑音増幅器３への電源供給のオン／オフ制御と、低雑音増幅器４への電源供給のオン／オフ制御とを独立して行う。
【００２６】
また、スイッチ制御回路１１は、ＲＦスイッチ７及び８それぞれに対して制御信号を出力する。例えば、ＲＦスイッチ７及び８をそれぞれＣＭＯＳ（Complementary Metal Oxide Semiconductor）のＳＰＤＴ（Single Pole Double Throw）スイッチとした場合、スイッチ制御回路１１からＲＦスイッチ７に出力される制御信号及びスイッチ制御回路１１からＲＦスイッチ８に出力される制御信号はそれぞれ電圧値が１．８Ｖもしくは０Ｖ等の２値で与えられる信号とすればよい。なお、ＲＦスイッチ７及び８にＣＭＯＳスイッチを用いるのではなく、ＲＦ用ＭＥＭＳスイッチを用いるようにしてもよい。
【００２７】
通常のデュアルチャンネル受信時には、ロッドアンテナ１０１に給電し、筐体アンテナ１０２には給電せず、電源供給制御回路１０が低雑音増幅器３に３Ｖを印加し低雑音増幅器３への電源供給をオンにし、低雑音増幅器４に０Ｖを印加し低雑音増幅器４への電源供給をオフにし、さらに、ＲＦスイッチ７が接点７Ａを選択し、ウィルキンソン型電力分配器５から出力されるＲＦ信号がデュアルチューナ９のＲＦ入力端子９Ａに供給され、ＲＦスイッチ８が接点８Ａを選択し、ウィルキンソン型電力分配器５から出力されるＲＦ信号がデュアルチューナ９のＲＦ入力端子９Ｂに供給される。なお、筐体アンテナ１０２に給電しないためには、低雑音増幅器４をディセーブルにする必要がある（低雑音増幅器４がパススルー機能付きの低雑音祖増幅器である場合は増幅機能だけでなくパルスルー機能も合わせてディセーブルにする必要がある）。本実施形態では、低雑音増幅器４への電源供給をオフにすることで、低雑音増幅器４をディセーブルにしている。
【００２８】
一方、ロッドアンテナ１０１の金属棒状の放射素子をクラムシェル型携帯電話機の内部に収納している場合や、ロッドアンテナ１０１の感度が著しく低下していると予想できる場合、ロッドアンテナ１０１には給電せず、筐体アンテナ１０２に給電し、電源供給制御回路１０が低雑音増幅器３に０Ｖを印加し低雑音増幅器３への電源供給をオフにし、低雑音増幅器４に３Ｖを印加し低雑音増幅器４への電源供給をオンにし、さらに、ＲＦスイッチ７が接点７Ｂを選択し、ウィルキンソン型電力分配器６から出力されるＲＦ信号がデュアルチューナ９のＲＦ入力端子９Ａに供給され、ＲＦスイッチ８が接点８Ｂを選択し、ウィルキンソン型電力分配器６から出力されるＲＦ信号がデュアルチューナ９のＲＦ入力端子９Ｂに供給されるようにするとよい。なお、ロッドアンテナ１０１に給電しないためには、低雑音増幅器３をディセーブルにする必要がある（低雑音増幅器３がパススルー機能付きの低雑音祖増幅器である場合は増幅機能だけでなくパルスルー機能も合わせてディセーブルにする必要がある）。本実施形態では、低雑音増幅器３への電源供給をオフにすることで、低雑音増幅器３をディセーブルにしている。また、ロッドアンテナ１０１の金属棒状の放射素子をクラムシェル型携帯電話機の内部に収納していることは、例えば、ロッドアンテナ１０１の収納部にロッドアンテナ１０１が収納されたときに接触を検知する接触スイッチを設けることによって検出可能であり、ロッドアンテナ１０１の感度が著しく低下していると予想できることは、例えば、ＲＦスイッチ７が接点７Ａを選択しているときにＲＦ入力端子９Ａの入力信号レベルを測定することによって検出可能である。
【００２９】
また、デュアルチャンネル受信とシングルチャンネル受信との切り替えが可能な構成にするために、図２に示すデュアルチャンネル放送受信回路ブロック１０７内のデュアルチューナ９をシングルチャンネル受信対応デュアルチューナ１２に置き換えてもよい。
【００３０】
シングルチャンネル受信対応デュアルチューナ１２の一構成例を図３に示す。図３に示すシングルチャンネル受信対応デュアルチューナ１２は、ＲＦ入力端子１２Ａと、ＲＦ入力端子１２Ｂと、ＲＦ及びＩＦ回路１３及び１４と、Ａ／Ｄ変換器１５及び１６と、ＤＦＴ部１７及び１８と、シングルチャンネル受信／デュアルチャンネル受信切替部（以下、シングル／デュアル切替部という）１９と、デインターリーバ２０及び２１と、復号器２２及び２３とを備えている。
【００３１】
ＲＦスイッチ７の極７ＣすなわちＲＦスイッチ７の出力に接続されているＲＦ入力端子１２Ａより入力されたＲＦ信号は、ＲＦ及びＩＦ回路１３において希望するチャンネルに対応する局部発振信号によりＩＦ信号にダウンコンバートされる。ＲＦ及びＩＦ回路１３から出力されるＩＦ信号は、Ａ／Ｄ変換器１５においてデジタル信号に変換された後、ＤＦＴ部１７においてＯＦＤＭ復調され、シングル／デュアル切替部１９に供給される。
【００３２】
同様に、ＲＦスイッチ８の極８ＣすなわちＲＦスイッチ８の出力に接続されているＲＦ入力端子１２Ｂより入力されたＲＦ信号は、ＲＦ及びＩＦ回路１４において希望するチャンネルに対応する局部発振信号によりＩＦ信号にダウンコンバートされる。ＲＦ及びＩＦ回路１４から出力されるＩＦ信号は、Ａ／Ｄ変換器１６においてデジタル信号に変換された後、ＤＦＴ部１８においてＯＦＤＭ復調され、シングル／デュアル切替部１９に供給される。
【００３３】
ここで、デュアルチャンネル受信時の動作について説明する。デュアルチャンネル受信時には、デュアルチューナ９を用いた場合と同様に、ロッドアンテナ１０１に給電し、筐体アンテナ１０２には給電せず、電源供給制御回路１０が低雑音増幅器３に３Ｖを印加し低雑音増幅器３への電源供給をオンにし、低雑音増幅器４に０Ｖを印加し低雑音増幅器４への電源供給をオフにし、さらに、ＲＦスイッチ７が接点７Ａを選択し、ウィルキンソン型電力分配器５から出力されるＲＦ信号がシングルチャンネル受信対応デュアルチューナ１２のＲＦ入力端子１２Ａに供給され、ＲＦスイッチ８が接点８Ａを選択し、ウィルキンソン型電力分配器５から出力されるＲＦ信号がシングルチャンネル受信対応デュアルチューナ１２のＲＦ入力端子１２Ｂに供給されるようにするか、或いは、ロッドアンテナ１０２には給電せず、筐体アンテナ１０２に給電し、電源供給制御回路１０が低雑音増幅器３に０Ｖを印加し低雑音増幅器３への電源供給をオフにし、低雑音増幅器４に３Ｖを印加し低雑音増幅器４への電源供給をオンにし、さらに、ＲＦスイッチ７が接点７Ｂを選択し、ウィルキンソン型電力分配器６から出力されるＲＦ信号がシングルチャンネル受信対応デュアルチューナ１２のＲＦ入力端子１２Ａに供給され、ＲＦスイッチ８が接点８Ｂを選択し、ウィルキンソン型電力分配器６から出力されるＲＦ信号がシングルチャンネル受信対応デュアルチューナ１２のＲＦ入力端子１２Ｂに供給されるようにするとよい。
【００３４】
この場合、シングル／デュアル切替部１９は、ＤＦＴ部１７から出力される復調信号をデインタリーバ２０に送出し、ＤＦＴ部１８から出力される復調信号をデインタリーバ２１に送出する。デインタリーバ２０に送られた復調信号は、デインタリーバ２０によって各種デインタリーブが施された後、復号器２２により復号され、トランスポートストリーム信号となり、シングルチャンネル受信対応デュアルチューナ１２から出力される。また、デインタリーバ２１に送られた復調信号は、デインタリーバ２１によって各種デインタリーブが施された後、復号器２３により復号され、トランスポートストリーム信号となり、シングルチャンネル受信対応デュアルチューナ１２から出力される。
【００３５】
次に、シングルチャンネル受信時の動作について説明する。シングルチャンネル受信時にも、デュアルチャンネル受信時と同様に、ロッドアンテナ１０１に給電し、筐体アンテナ１０２には給電せず、電源供給制御回路１０が低雑音増幅器３に３Ｖを印加し低雑音増幅器３への電源供給をオンにし、低雑音増幅器４に０Ｖを印加し低雑音増幅器４への電源供給をオフにし、さらに、ＲＦスイッチ７が接点７Ａを選択し、ウィルキンソン型電力分配器５から出力されるＲＦ信号がシングルチャンネル受信対応デュアルチューナ１２のＲＦ入力端子１２Ａに供給され、ＲＦスイッチ８が接点８Ａを選択し、ウィルキンソン型電力分配器５から出力されるＲＦ信号がシングルチャンネル受信対応デュアルチューナ１２のＲＦ入力端子１２Ｂに供給されるようにするか、或いは、ロッドアンテナ１０２には給電せず、筐体アンテナ１０２に給電し、電源供給制御回路１０が低雑音増幅器３に０Ｖを印加し低雑音増幅器３への電源供給をオフにし、低雑音増幅器４に３Ｖを印加し低雑音増幅器４への電源供給をオンにし、さらに、ＲＦスイッチ７が接点７Ｂを選択し、ウィルキンソン型電力分配器６から出力されるＲＦ信号がシングルチャンネル受信対応デュアルチューナ１２のＲＦ入力端子１２Ａに供給され、ＲＦスイッチ８が接点８Ｂを選択し、ウィルキンソン型電力分配器６から出力されるＲＦ信号がシングルチャンネル受信対応デュアルチューナ１２のＲＦ入力端子１２Ｂに供給されるようにするとよい。
【００３６】
そして、シングルチャンネル受信時には、以下に示す第１の動作も行う。第１の動作では、ＲＦ及びＩＦ回路１３、Ａ／Ｄ変換器１５、並びに、ＤＦＴ部１７からなる第１受信ブロックとＲＦ及びＩＦ回路１４、Ａ／Ｄ変換器１６、並びに、ＤＦＴ部１８からなる第２受信ブロックのいずれか一方のみをイネーブルにし、シングル／デュアル切替部１９が、イネーブルにした方の受信ブロックから出力される復調信号をデインタリーバ２０に送出し、デインタリーバ２０に送られた復調信号は、デインタリーバ２０によって各種デインタリーブが施された後、復号器２２により復号され、トランスポートストリーム信号となり、シングルチャンネル受信対応デュアルチューナ１２から出力される。第１の動作では、第１受信ブロックと第２受信ブロックのいずれか一方のみをイネーブルにしているので、消費電力を低減することができる。
【００３７】
また、上述した第１の動作に代えて以下に示す第２の動作を行ってもよい。第２の動作では、ＲＦ及びＩＦ回路１３、Ａ／Ｄ変換器１５、並びに、ＤＦＴ部１７からなる第１受信ブロックとＲＦ及びＩＦ回路１４、Ａ／Ｄ変換器１６、並びに、ＤＦＴ部１８からなる第２受信ブロックの双方をイネーブルにし、シングル／デュアル切替部１９が、第１受信ブロックから出力される復調信号と第２受信ブロックから出力される復調信号とをサブキャリア単位で選択合成し、その選択合成した信号をデインタリーバ２０に送出し、デインタリーバ２０に送られた復調信号は、デインタリーバ２０によって各種デインタリーブが施された後、復号器２２により復号され、トランスポートストリーム信号となり、シングルチャンネル受信対応デュアルチューナ１２から出力される。第２の動作では、サブキャリア単位で選択合成を行っているので、受信キャリア信号電力対雑音電力比（受信Ｃ／Ｎ）を向上させることができる。
【００３８】
また、上述した第１の動作や第２の動作に代えて以下に示す第３の動作を行ってもよい。第３の動作では、ＲＦ及びＩＦ回路１３、Ａ／Ｄ変換器１５、並びに、ＤＦＴ部１７からなる第１受信ブロックとＲＦ及びＩＦ回路１４、Ａ／Ｄ変換器１６、並びに、ＤＦＴ部１８からなる第２受信ブロックの双方をイネーブルにし、シングル／デュアル切替部１９が、第１受信ブロックから出力される復調信号と第２受信ブロックから出力される復調信号とを同相合成（最大比合成）し、その同相合成した信号をデインタリーバ２０に送出し、デインタリーバ２０に送られた復調信号は、デインタリーバ２０によって各種デインタリーブが施された後、復号器２２により復号され、トランスポートストリーム信号となり、シングルチャンネル受信対応デュアルチューナ１２から出力される。第３の動作では、復調信号の利得を高くすることができる。
【００３９】
ここで、例えば、耐妨害波性能において、シングルチャンネル受信対応デュアルチューナ１２のＲＦ受信性能が各ＲＦ入力端子で異なり、アンテナの周波数特性や他のアンテナとの相互結合を考慮できる場合には、シングルチャンネル受信時に、デュアルチャンネル受信時とは異なり、ロッドアンテナ１０１と筐体アンテナ１０２の双方に給電し、電源供給制御回路１０が低雑音増幅器３及び４に３Ｖを印加し低雑音増幅器３及び４への電源供給をオンにし、さらに、ＲＦスイッチ７が接点７Ａを選択し、ウィルキンソン型電力分配器５から出力されるＲＦ信号がシングルチャンネル受信対応デュアルチューナ１２のＲＦ入力端子１２Ａに供給され、ＲＦスイッチ８が接点８Ｂを選択し、ウィルキンソン型電力分配器６から出力されるＲＦ信号がシングルチャンネル受信対応デュアルチューナ１２のＲＦ入力端子１２Ｂに供給されるようにするか、或いは、ロッドアンテナ１０１と筐体アンテナ１０２の双方に給電し、電源供給制御回路１０が低雑音増幅器３及び４に３Ｖを印加し低雑音増幅器３及び４への電源供給をオンにし、さらに、ＲＦスイッチ７が接点７Ｂを選択し、ウィルキンソン型電力分配器６から出力されるＲＦ信号がシングルチャンネル受信対応デュアルチューナ１２のＲＦ入力端子１２Ａに供給され、ＲＦスイッチ８が接点８Ａを選択し、ウィルキンソン型電力分配器５から出力されるＲＦ信号がシングルチャンネル受信対応デュアルチューナ１２のＲＦ入力端子１２Ｂに供給されるようにするようにしてもよい。
【図面の簡単な説明】
【００４０】
【図１】は、クラムシェル型携帯電話機に内蔵される本発明に係るデュアルチャンネル放送受信機の外観を示す図である。
【図２】は、デュアルチャンネル放送受信回路ブロックの一構成例を示す図である。
【図３】は、ダイバーシティ対応デュアルチューナの一構成例を示す図である。
【図４】は、従来の受信機におけるアンテナ利得特性を示す図である。
【符号の説明】
【００４１】
１、２    ＳＡＷフィルタ
３、４    低雑音増幅器
５、６    ウィルキンソン型電力分配器
７、８    ＲＦスイッチ
９    デュアルチューナ
１０    電源供給制御回路
１１    スイッチ制御回路
１２    シングルチャンネル受信対応デュアルチューナ
１３、１４    ＲＦ及びＩＦ回路
１５、１６    Ａ／Ｄ変換器
１７、１８    ＤＦＴ部
１９    シングル／デュアル切替部
２０、２１    デインターリーバ
２２、２３    復号器
１００    本発明に係るデュアルチャンネル放送受信機
１０１    ロッドアンテナ
１０２    筐体アンテナ
１０３    ディスプレイ側回路基板
１０４    ディスプレイ
１０５    フラットケーブル
１０６    通電ヒンジ
１０７    デュアル放送受信回路ブロック
１０８    本体側回路基板
１０９    キーパッド
【図１】
2009130812.tif 000003
【図２】
2009130812.tif 000004
【図３】
2009130812.tif 000005
【図４】
2009130812.tif 000006